(57)【要約】【課題】冊子状製品を１人の作業者にて容易に製造することができるようにする。【解決手段】ロール状の連続紙２を給紙する給紙部１と、この給紙部からの連続紙を幅方向に複数に分割するスリッタ装置３と、スリッタ装置にて幅方向一方の最外側で分割されたベース紙２ａが走行するベース紙通路６と、ベース紙以外の部分を巻き取る初期仮巻き取り装置８ａとを有し、上記ベース紙通路にニップローラ１１を接離可能にした貼り合わせ装置９ａ〜９ｄを複数設け、各貼り合わせ装置の上流側に糊塗布ノズル１２を、また各貼り合わせ装置の下流側に、分割紙仮巻き取り装置８ｂ〜８ｅを設け、スリッタ装置の下流側に、スリッタ装置にて分割された他の各分割紙を上記ベース紙通路上へ移動すると共に、各貼り合わせ装置に紙通しする重ね合わせ通路１４ａ〜１４ｄを設け、ベース紙通路の最下流側に断裁装置を設けてなる。【選択図】図３
2010143679.tif 000002
【特許請求の範囲】
【請求項１】
ロール状の連続紙を給紙する給紙部と、この給紙部から給紙される連続紙を幅方向に複数に分割するスリッタ装置と、スリッタ装置にて幅方向一方の最外側で分割されたベース紙が走行するベース紙通路と、ベース紙以外の部分を巻き取る初期仮巻き取り装置とを有し、
上記ベース紙通路にニップローラを接離可能にした貼り合わせ装置をベース紙の走行方向に複数設けると共に、この各貼り合わせ装置の上流側に、冊子状製品の綴じ部となる位置に糊を塗布する糊塗布ノズルを、また各貼り合わせ装置の下流側に、貼り合わせ装置を通る各分割紙を巻き取る分割紙仮巻き取り装置を設け、
上記スリッタ装置の下流側に、スリッタ装置にて分割された他の各分割紙を上記ベース紙通路上へ移動すると共に、紙パス調整ロールを介して各貼り合わせ装置に紙通しする重ね合わせ通路を設け、
さらにベース紙通路の最下流側に断裁装置を設けた
ことを特徴とする冊子状製品の製造装置。
【発明の詳細な説明】
【技術分野】
【０００１】
本発明は、印刷済みの複数の連続紙を絵柄を合わせながら積層貼り合わせてから、断裁して製品とする冊子状製品の製造装置に関するものである。
【背景技術】
【０００２】
この種の装置にあっては、積層される各連続紙の絵柄の見当合わせを行った状態で積層して糊付けしなければならないが、複数のロール紙から繰り出される連続紙をこれらの見当合わせをしながら貼り付け断裁することは困難である。
【０００３】
本発明の出願人は、これらの問題を解決するべく特許文献１にて開示した連続紙の貼り合わせ加工装置を提案した。
【０００４】
この装置は、個々のロール紙から上下方向に位置をずらせて走行させるようにし、まず下側の連続紙を走行ラインの糊による貼り合わせ位置と見当合わせ位置を経る全長にわたって紙通ししてテンションが安定した状態で停止し、その後、上側の連続紙を上記走行ラインの貼り合わせ位置と見当合わせ位置に紙通しした後に、見当合わせ位置の下流側に設けた巻き取り装置に一時的に巻き取られるようにしている。
【０００５】
その後、上側の連続紙を微細に走行させて、この上側の連続紙の絵柄を下側の連続紙の絵柄に見当合わせを行う。ついで糊付け装置の作動をＯＮにして、下側の連続紙に糊を塗布した状態で上下の連続紙をゆっくり同期走行させ、両紙を貼り合わせ装置にて貼り合わせる。この状態で装置を停止して貼り合わせ装置より下流側の連続紙を切断する。
【０００６】
そしてその後、両連続紙を同期走行させることにより、これ以後の両連続紙は見当が合った状態で貼り合わせられて走行し、これを下流側で断裁して冊子状製品とするようにしている。
【０００７】
また、他の従来の技術として特許文献２にて開示されているように、製品となる冊子の幅のｎ倍で、かつ必要な印刷が施されている連続紙をスリッタでｎ等分し、そのｎ等分した中の１本を基準として、他のものをそれぞれターンバーを用いて同じ方向に２度折り返して基準のものの上に誘導し、誘導兼調節ローラで丁合して重ね合わせると共に、一部を糊付けしてから所定の大きさに断裁するようにしている。
【０００８】
【特許文献１】特開２００７−３０８２３７号公報
【特許文献２】特公昭４３−１７３７０号公報
【発明の開示】
【発明が解決しようとする課題】
【０００９】
上記従来技術の前者の装置にあっては、各連続紙は個々のロール紙から給紙されるようになっていることにより、この装置にて積層数が２枚を超える冊子状製品を製造しようとした場合には、給紙部の増設が必要となって大型化する問題があり、またこの各給紙部を装置の連続紙の走行方向に位置をずらせて設けることにより、装置全体の長さが長くなってしまうという問題がある。
【００１０】
また従来技術の後者の装置にあっては、幅広の連続紙を用いるため、１つの給紙部ですむが、この給紙部から給紙される連続紙はスリッタにて分割された各分割連続紙がそれぞれターンバーによる迂回路を通って互いに合流するようになっているため、この合流による積層の際の幅方向と天地方向の各位置合わせが大変な作業となっている。これは分割枚数が多くなるほど顕著になる。
【００１１】
本発明は上記のことに鑑みなされたもので、幅広のロール紙を用いて複数枚の積層紙からなる冊子状製品の製造を１人作業にて容易に行うことができ、しかも各積層紙の重ね合わせを１枚ずつ正確に行うことができて、高品質の製品を少ない損紙で生産できるようにした冊子状製品の製造装置を提供することを目的とするものである。
【課題を解決するための手段】
【００１２】
上記目的を達成するために、本発明に係る冊子状製品の製造装置は、ロール状の連続紙を給紙する給紙部と、この給紙部から給紙される連続紙を幅方向に複数に分割するスリッタ装置と、スリッタ装置にて幅方向一方の最外側で分割されたベース紙が走行するベース紙通路と、ベース紙以外の部分を巻き取る初期仮巻き取り装置とを有し、上記ベース紙通路にニップローラを接離可能にした貼り合わせ装置をベース紙の走行方向に複数設けると共に、この各貼り合わせ装置の上流側に、冊子状製品の綴じ部となる位置に糊を塗布する糊塗布ノズルを、また各貼り合わせ装置の下流側に、貼り合わせ装置を通る各分割紙を巻き取る分割紙仮巻き取り装置を設け、上記スリッタ装置の下流側に、スリッタ装置にて分割された他の各分割紙を上記ベース紙通路上へ移動すると共に、紙パス調整ロールを介して各貼り合わせ装置に紙通しする重ね合わせ通路を設け、さらにベース紙通路の最下流側に断裁装置を設けた構成になっている。
【発明の効果】
【００１３】
本発明に係る冊子状製品の製造装置によれば、冊子状製品の各積層紙の合計幅を有する幅広のロール紙の幅方向最外側をスリッタ装置にて分割してなるベース紙の紙通し時に、他の部分を初期仮巻き取り装置にて仮巻きすることができることにより、このベース紙の紙通しを他の分割紙に煩わされることなく行うことができる。
【００１４】
また、その後の各分割紙の上記ベース紙上への重ね合わせ及び貼り合わせも、分割紙をスリッタ装置にて分割してから１枚ずつ上記初期仮巻き取り装置より切り離して順次行うことができる。
【００１５】
これらのことにより、冊子状製品の各積層紙の合計幅を有する幅広のロール状の連続紙を用いて複数枚の積層紙からなる冊子状製品の製造を１人作業にて容易に行うことができ、しかも各積層紙の重ね合わせを１枚ずつ正確に行うことができて高品質の製品を少ない損紙で生産することができる。
【発明を実施するための最良の形態】
【００１６】
本発明の実施の形態を図面に基づいて説明する。なおこの実施の形態は、例えば図１に示すように折り曲げ連なる表紙ａ１と裏表紙ａ２の間に、４枚の中間紙ｂ，ｃ，ｄ，ｅを上記表紙ａ１と裏表紙ａ２の折り曲げ部にて糊付けしてなる冊子状製品Ａを製造するものである。
【００１７】
図２、図３において、１は給紙部であり、この給紙部１は、上記冊子状製品Ａの表紙ａ１と裏表紙ａ２と、４枚の中間紙ｂ〜ｅの各紙の合計幅のロール状の連続紙２を給紙するようになっている。そしてこの給紙部１のすぐ下流側にスリッタ装置３が設けられており、このスリッタ装置３は上記表紙ａ１と裏表紙ａ２分のダブル幅にスリットを入れてベース紙２ａとするベース紙用スリッタ３ａと、各中間紙ｂ〜ｅの各幅にスリットを入れて、分割紙２ｂ，２ｃ，２ｄ，２ｅとする第１・第２・第３の分割紙用スリッタ３ｂ，３ｃ，３ｄを有しており、これらのスリッタ３ａ〜３ｄは連続紙２に対して個々にＯＮ，ＯＦＦするようになっている。
【００１８】
スリッタ装置３の下流側に、このスリッタ装置３の各分割紙用スリッタ３ｂ〜３ｄにて切断されてベース紙２ａに対して幅方向に分割された分割紙２ｂ〜２ｄを、ベース紙２ａから分離して案内する分割紙案内ロール４が設けてある。ベース紙２ａは、上記分割紙案内ロール４を通過して最下流側の送りロール対５に至るベース紙通路６を走行するようになっている。このベース紙通路６の上流側に紙パス調整ロール７が設けてある。
【００１９】
上記分割紙案内ロール４のすぐ下流側のベース紙通路６に初期仮巻き取り装置８ａが設けてあり、この初期仮巻き取り装置８ａは、上記スリッタ装置３のベース紙用スリッタ３ａのみがＯＮとなって、連続紙２がベース紙２ａと他の部分とに分割された状態での他の部分を、ベース紙２ａの走行にしたがって巻き取るようになっている。
【００２０】
ベース紙通路６には、これの上流側から第１・第２・第３・第４の貼り合わせ装置９ａ，９ｂ，９ｃ，９ｄが設けてある。各貼り合わせ装置９ａ〜９ｄは、ベースロール１０と、このベースロール１０に対して接離作動可能にしたニップロール１１とからなっている。そしてこの各貼り合わせ装置９ａ〜９ｄの上流側に上記冊子状製品Ａの糊付け位置に糊を点線状、あるいは線状に塗布する糊塗布ノズル１２が設けてある。
【００２１】
ベース通路６の上方に、上記分割用スリッタ３ｂ〜３ｄにて分割された各分割紙２ｂ〜２ｅをベース紙２ａの最外側（図２で手前側）上に重ね合わせる第１・第２・第３・第４の重ね合わせ通路１３ａ，１３ｂ，１３ｃ，１３ｄが設けられている。そしてこの各重ね合わせ通路１３ａ〜１３ｄは上流側から順に、ベース紙２ａから遠い方の分割紙２ｅから順にベース通路６の各貼り合わせ装置９ａ〜９ｄの上流側に重ね合わせるようにしている。各重ね合わせ通路１３ａ〜１３ｄは、ベース紙２ａに対する他の分割紙２ｂ〜２ｅの幅方向の重ね合わせ位置を調整できる各一対のターンバからなる第１・第２・第３・第４のターンバ装置１４ａ，１４ｂ，１４ｃ，１４ｄと、紙パス調整ロール１５とからなっている。
【００２２】
各貼り合わせ装置９ａ〜９ｄの下流側に、各貼り合わせ装置９ａ〜９ｄの上流側で、ベース紙２ａ上に重ね合わされてから各貼り合わせ装置９ａ〜９ｄを通過した各分割紙２ｂ〜２ｅを仮に巻き取る第１・第２・第３・第４の分割紙仮巻き取り装置８ｂ，８ｃ，８ｄ，８ｅが設けてある。
【００２３】
ベース紙通路６の送りロール対５の下流側には、上記ダブル幅のベース紙２ａをプラウ１６ａを用いて縦方向に折り畳む縦折り装置１６と、冊子状に断裁する断裁装置１７が設けられている。
【００２４】
上記のように構成された装置により図１に示した冊子状製品Ａの製造操作を説明する。
【００２５】
給紙部１には、冊子状製品Ａの各積層紙の合計幅を有するロール状の連続紙２をセットする。この連続紙２には、冊子状製品Ａにおいての両表紙ａ１，ａ２及び各中間紙ｂ〜ｅの各頁位置における絵柄が繰り返し印刷されている。
【００２６】
この連続紙２をベース紙用スリッタ３ａをＯＮにした状態でゆっくり走行させて、この連続紙２からベース紙２ａを分割し、このベース紙２ａを、このときのベース紙以外の部分を初期仮巻き取りロール８ａにて巻き取りながら送りロール対５に至る間にわたってベース紙通路６に紙通しする。このときのベース紙２ａは、紙パス調整ロール７にて紙パス及びテンションが調整される。また、このベース紙２ａの紙通し時においての各貼り合わせ装置９ａ〜９ｄにニップロール１１をＯＦＦ状態にしてあると共に、糊塗布ノズル１２をＯＦＦにしてある。
【００２７】
次に、冊子状製品Ａの１枚目（最下層）となる中間紙ｅとなる分割紙２ｅを、これを切離するための第３の分割紙用スリッタ３ｄをＯＮにて上記ベース紙以外の部分から分割する。そしてこの分割紙２ｅを上記初期仮巻き取り装置８ａに至る通路から切り離して分割紙案内ロール４から第１の重ね合わせ通路１３ａを通して第１のターンバ装置１４ａにてベース紙２ａの外側部分の上方位置まで移動すると共に、紙パス調整ロール１５、第１の貼り合わせ装置９ａに通し、ついでベース紙通路６の上方に位置する第１の分割紙仮巻き取り装置８ｂに巻き掛けて所定のテンションにてベース紙２ａと同速で巻き取るようにする。
【００２８】
このときにおいて、ベース紙２ａ以外の部分のうち、他の分割紙２ｂ，２ｃ，２ｄは、上記ベース紙２ａ及び分割紙２ｅと共に給紙部２のロールより繰り出されて初期仮巻き取り装置８ａに巻き取られている。
【００２９】
次に上記手順と同じにして下側から２枚目の中間紙ｄとなる分割紙２ｄを第２の分割紙用スリッタ３ｃをＯＮにして分割して、この分割紙２ｄを分割紙案内ロール４から第２の重ね合わせ通路１３ｂを通って、第２のターンバ装置１４ｂ及び紙パス調整ロール１５を経てベース紙２ａの外側部分の上方位置まで移動してから第２の貼り合わせ装置９ｂに通し、ついで第２の分割紙仮巻き取り装置８ｃにセットし、所定のテンションにてベース紙２ａと同速で巻き取る。なおこのときには、これより上流側の分割紙２ｅも第１の分割紙仮巻き取り装置８ｂにて同速で巻き取られている。またこのときも残りの分割紙２ｂ，２ｃは、初期仮巻き取り装置８ａにて巻き取られている。
【００３０】
以下、同様に下側から３枚目、４枚目の中間紙ｃ，ｄとなる第３・第２の分割紙２ｃ，２ｂを第１の分割紙用スリッタ３ｂにて分割し、この両分割紙２ｃ，２ｂを順次重ね合わせ通路１３ｃ，１３ｄを通って第２・第３の分割紙仮巻き取り装置８ｃ，８ｄに巻き取る。
【００３１】
上記各分割紙２ｅ，２ｄ，２ｃ，２ｂのそれぞれの重ね合わせ通路１３ａ〜１３ｄの走行時に、この各通路に設けられているターンバー装置１４ａ〜１４ｄによる幅方向調整と、紙パス調整ロール１５による紙パス調整にて各分割紙のベース紙１ａに対する見当合わせが行われる。このとき、各分割紙はベース紙２ａ上に順次積層していくので、ベース紙２ａに対する見当合わせは１枚目の分割紙２ｅのみが行われるが、２枚目以上の分割紙２ｄ，２ｃ，２ｂはそれぞれの下側の分割紙に対して見当合わせを行うことにより、間接的にベース紙２ａとの見当合わせが行われるものである。
【００３２】
なお、上記各作動は連続紙２の走行をゆっくり行い、及び必要に応じて一時停止した状態で行われる。
【００３３】
上記のようにして、ベース紙２ａに対して各分割紙２ｂ〜２ｅの位相が合わされた状態でベース紙２ａと他分割紙２ｂ〜２ｅをゆっくり同期走行させて、最上流側の第１の貼り合わせ装置９ａのニップロール１１を接にすると共に、この第１の貼り合わせ装置９ａの上流側の糊塗布ノズル１２から糊を吐出して、ベース紙２ａの綴じ部に線糊１２ａを塗布する。これにより、第１の貼り合わせ装置９ａのニップ部にてベース紙２ａに１枚目の中間紙ｅとなる分割紙２ｅが、これらの綴じ部に貼り合わされる。
【００３４】
このとき、上記糊による貼り合わせ部の先頭部が第１の貼り合わせ装置９ａのニップ部にきて、この部分が貼り合わされた時点で装置全体を停止する。ついで、この１枚目の分割紙２ｅをニップ部の下流側で切断して第２の仮巻き取り装置８ｂより切り離して、この切り離し部より上流側の分割紙２ｅの先端部を粘着テープや糊にてベース紙２ａに貼り付ける。
【００３５】
この状態で装置全体を作動すると、上記１枚目の分割紙２ｅはベース紙２ａに接着されて一体状に走行する。そしてこの１枚目の分割紙２ｅが第２の貼り合わせ装置９ｂを通過した時点で、この第２の貼り合わせ装置９ｂのニップロール１１を接にして２枚目の分割紙２ｄを１枚目の分割紙２ｅ上に押し付けると共に、この第２の貼り付け装置９ｂの上流側の糊塗布ノズル１２から糊を吐出して、１枚目の分割紙２ｅの綴じ部に糊を塗布する。これにより、第２の貼り合わせ装置９ｂのニップ部にて１枚目の分割紙２ｅに２枚目の分割紙２ｄが、これらの綴じ部にて貼り合わされる。
【００３６】
このとき、上記１枚目の場合と同様に、上記糊による２枚目の分割紙２ｄの貼り合わせ部の先頭部が第２の貼り合わせ装置９ｂのニップ部にきて、この部分が貼り合わされた時点で装置全体を停止して上記１枚目と同様に、この２枚目の分割紙２ｄを切り離して、この切り離し部を１枚目の分割紙２ｅに貼り付ける。
【００３７】
以下、同様にして３枚目、４枚目の各分割紙２ｃ、２ｂを各仮巻き取り装置８ｄ，８ｅから切り離して、順次各貼り合わせ装置９ｃ、９ｄにて貼り合わせる。そしてこの状態で、最下流側である第４の貼り合わせ装置９ｄを通過したベース紙２ａ上に各分割紙２ｂ〜２ｅが重ね合わされて送りロール対５に走行されてくる。
【００３８】
この実施の形態ではベース紙２ａがダブル幅になっていて、上記各分割紙２ｂ〜２ｅが裏表紙ａ２となる片側部に重ね合わされる。そして表紙ａ１は、送りロール対５の下流側に設けられた縦折り装置１６にて折り畳まれ、これにより各分割紙２ｂ〜２ｅはベース紙２ａに挟み込まれた状態で積層される。そしてこの積層体は、この積層体の走行速度に同期して作動する断裁装置１７にて１冊ずつのサイズに、すなわち絵柄１面分ずつに断裁されて冊子状製品Ａとなる。このとき断裁装置１７は、各冊子状製品の絵柄位置を検出しながら作動するようにしてもよい。また上記各用紙は、一定のテンションが作用された状態で冊子状製品Ａの作成のための同期走行するようになっている。
【００３９】
上記作用において、ベース紙２ａがベース紙通路６への紙通し時には、連続紙２の他の部分が初期仮巻き取り装置８ａにて巻き取られているので、この他の部分に煩わされることなくベース紙２ａの紙通しを行うことができる。また、各分割紙２ｂ〜２ｅの上記ベース紙２ａへの重ね合わせ、貼り合わせも、各分割紙１枚ずつを順次行うことができ、これらの作業を１人にて行うことができる。
【００４０】
図４は、本発明の他の実施の形態を示すものである。上記した実施の形態では、各分割紙の貼り合わせ装置９ａ〜９ｄのそれぞれの下流側に仮巻き取り装置８ｂ〜８ｄを設けた例を示したが、この他の実施の形態では図４に示すように、第２の貼り合わせ装置９ｂと、第４の貼り合わせ装置９ｄのそれぞれの下流側に、第２・第３の仮巻き取り装置８ｂ′，８ｃ′を配置した構成になっている。
【００４１】
この構成では、第２の仮巻き取り装置８ｂ′にて第１と第２の貼り合わせ装置９ａ，９ｂを経た１枚目の分割紙２ｅと第２の貼り合わせ装置９ｂを経た２枚目の分割紙２ｄを重ねて巻き取り、また第３の仮巻き取り装置８ｃ′にて第３と第４の貼り合わせ装置９ｃ，９ｄを経た３枚目の分割紙２ｃと第４の貼り合わせ装置９ｄを経た４枚目の分割紙２ｂを重ねて巻き取るようにしている。そして各仮巻き取り装置８ｂ′，８ｃ′では、上記したようにそれぞれ見当合わせた状態で２層ずつ巻き取り、下層側より貼り合わせ部ニップを接として走行させ、この部分でのテンションが安定した後、１層ずつ切断してそれぞれの下層紙に粘着テープ等にて貼り合わせるようにしている。上記仮巻き取り装置は２層に限るものではなく、３層、４層に巻き取るようにしてもよい。
【００４２】
また上記した各実施の形態では、ベース紙２ａをダブル幅にして、このベース紙２ａを縦折りすることにより表紙と裏表紙にした例を示したが、最下層紙を表紙または裏表紙にし、最上層紙を裏表紙または表紙として全ての分割紙をシングル幅にしてもよい。この場合、縦折り装置は用いられない。
【図面の簡単な説明】
【００４３】
【図１】冊子状製品の一例を示す斜視図である。
【図２】本発明装置の一例を概略的に示す平面図である。
【図３】本発明装置の一例を概略的に示す正面図である。
【図４】本発明装置の他例を概略的に示す正面図である。
【符号の説明】
【００４４】
１…給紙部、２…連続紙、２ａ…ベース紙、２ｂ，２ｃ，２ｄ，２ｅ…分割紙、３…スリッタ装置、３ａ…ベース紙用スリッタ、３ｂ，３ｃ，３ｄ…分割紙用スリッタ、４…分割紙案内ロール、５…送りロール、６…ベース紙通路、７…紙パス調整ロール、８ａ…初期仮巻き取り装置、８ｂ，８ｃ，８ｄ，８ｅ…分割紙仮巻き取り装置、９ａ〜９ｄ…貼り合わせ装置、１０…ベースロール、１１…ニップロール、１２…糊塗布ノズル、１２ａ…線糊、１３ａ〜１３ｄ…重ね合わせ通路、１４ａ〜１４ｄ…ターンバ装置、１５…紙パス調整ロール、１６…縦折り装置、１６ａ…プラウ、１７…断裁装置。
【図１】
2010143679.tif 000003
【図２】
2010143679.tif 000004
【図３】
2010143679.tif 000005
【図４】
2010143679.tif 000006